(57)【要約】【課題】葉菜類の水耕栽培におけるシステム化を効率的に推進するために、少なくとも定植作業及び収穫作業を補助する多機能な処理操作を１台で賄うことができる作業台を提供する。【解決手段】定植時の育苗供給用ストッカー、収穫時の製品化処理手段及び除去物の分別回収手段を兼備する水耕栽培用作業台１であって、テーブルワゴン形態の筐体構造を構成する骨格となる筐体枠７と、筐体枠７の構造空間に移動可能に立設され、該構造空間内に移動させて対向設置することにより育苗棚を多段収容可能とし、背面に移動させ面一に併置することにより該構造空間内に製品化処理により発生する除去物の回収箱を収容可能とする２枚１組の積載扉８；９と、筐体枠７の天面に設けられた処理操作天板６と、処理操作天板６の上方で正背面方向にスライド可能に設けられ、開閉操作により該処理操作天板６を露出又は遮蔽する蓋板15を具備する。【選択図】      図１
2007135454.tif 000002
【特許請求の範囲】
【請求項１】
葉菜類の水耕栽培におけるシステム化を推進するために、少なくとも定植作業及び収穫作業を補助する多機能な処理操作を１台で賄うようにした水耕栽培用作業台であって、
テーブルワゴン形態の筐体構造を構成する骨格となる筐体枠と、
筐体枠の構造空間に移動可能に立設され、該構造空間内に移動させて対向設置することにより育苗棚を多段収容可能とし、背面に移動させ面一に併置することにより該構造空間内に製品化処理により発生する除去物の回収箱を収容可能とする２枚１組の積載扉と、
筐体枠の天面に設けられた処理操作天板と、
前記処理操作天板の上方で正背面方向にスライド可能に設けられ、開閉操作により該処理操作天板を露出又は遮蔽する蓋板を具備するとともに、
前記処理操作天板の一部に板面をくり抜いて形成され、その正面縁部に葉菜類の根に絡まった土を掻き落とすための櫛歯を設けた千歯扱き処理操作部と、他部にスリットを形設し、かつ、該スリット端部に葉菜類の根を列設誘導して順次切り落とすためのカッター刃を設けた根切り処理操作部を有してなり、
定植時の育苗供給用ストッカー、収穫時の製品化処理手段及び製品化処理により発生する除去物の分別回収手段を兼備することを特徴とする水耕栽培用作業台。
【請求項２】
葉菜類の収穫作業において、水耕栽培用補助容器の底から下へ垂れる葉菜の根切りを行  え、容器上に生育した葉菜と根、容器及び容器内の土粒を分離回収する機構と、根に絡まった土を掻き落とすことが可能な櫛状の器具がある天板を持ち、
その上部に根切りによるケガを防止しながら葉菜を調整することもできる開閉式の蓋と、下部の筐体構造内に２枚１組の積載扉を持ち、この開閉により育苗箱や回収箱を積載し、最下部のキャスターによって任意の位置へ移動して作業することで、
葉菜生産者が効率的かつ安全に運搬、定植、収穫作業を１台で行うことが可能なことを特徴とする水耕栽培用作業台。
【請求項３】
収穫作業時に、水耕栽培用補助容器内から上方向へ葉菜が伸びた状態で、
葉菜は両手で把持したまま、容器底裏面は天板に接するようにし、容器の底から下へ垂れる葉菜の根は天板上に開けたスリットに通し、葉菜を把持した両手をスリットの終点方向へ動かすことで、葉菜の根は終点に向かって狭まるスリットを通り、終点に固定したカッター刃によって容器底面から一定に離れた距離で葉菜の根を切り落として、根を天板下部の一つ目の回収箱に落とすことが可能で、
さらにスリットの終点に隣接する穴まで葉菜を把持した両手を動かすことで、野菜は両手に把持したままで二つ目の回収箱へ補助容器と容器内の粒土のみを落として分離回収する機構を備えた請求項２記載の水耕栽培用作業台。
【請求項４】
収穫作業時に、両手に把持した葉菜の下端に絡みついた粒土を掻き落とす作業を行うために、水耕栽培用補助容器とレンガ粒を回収するための穴を構成するアングルの１辺に、先端をＵ字に曲げたピンを１辺に直立する形で横方向へ連続配置した櫛状の器具を形設した請求項２記載の水耕栽培用作業台。
【請求項５】
定植作業時に、カッター刃で負傷しないための蓋となり、またその上部に育苗箱を載せる台として補助することが可能な蓋であって、
収穫作業の際には、蓋の左右側面の内側に取り付けたコマが天板両端の折り曲げ部材を両外側から挟むことで蓋の横揺れを制動しながら、背面上部アングルの背面に取り付けた2台のコマによって蓋を支持して滑らせることによって、蓋を奥方向へスライドさせ、蓋が被さっていた天板のスリット、カッター刃、水耕栽培用補助容器と粒土が落ちる穴と、穴の内側に葉菜に残った土粒を掻き落とす櫛状の器具を表出させて使用することを可能とし、またその際には上に根切りをした葉菜を並べることが可能な蓋を備えた請求項２記載の水耕栽培用作業台。
【請求項６】
筐体構造内に２枚１組の積載扉を持ち、育苗箱の運搬や定植作業の際には筺体構造を構成する背面上部のアングルと下部のアングルの２点を軸に、左右対称に観音開きした２枚の積載扉を開いて双方の扉の回転軸の反対下部端にある錠を筐体の底板の留め穴に落すことで固定し、また双方の扉の内側に施した多段の桁の上に育苗箱の左右端を掛けて積載して運搬や定植作業の補助を行うことが可能で、
収穫作業の際にはこの扉を閉じ、錠を背面下部のアングルに施した留め穴に落として固定することで筐体内に左右２つの回収箱を並べることが可能であり、
この工夫により葉菜生産者が効率的かつ安全に運搬、定植、収穫作業を１台で行うようにした請求項２記載の水耕栽培用作業台。
【発明の詳細な説明】
【技術分野】
【０００１】
本発明は葉菜類の水耕栽培におけるシステム化を推進するために、少なくとも定植作業及び収穫作業を補助する多機能な処理操作を１台で賄うようにした水耕栽培用作業台に係り、より詳しくは、容器上で葉菜の育成を行う水耕栽培の現場で、育苗箱を運んだり、育苗箱を天板上の蓋に置いて定植作業の補助台として使用可能で、また水耕栽培用補助容器の底から下へ垂れる野菜の根を一定の距離で切り落とすことで容器上に生育した葉菜と容器を分離する根切り機構と、根に絡まった土を掻き落とすことが可能な櫛状の器具によって、葉菜、根、土粒及び容器をそれぞれ分別して回収するように工夫した水耕栽培用作業台に関する。
【背景技術】
【０００２】
従来、水耕栽培では水面に浮かした発泡スチロールパネル製の栽培用容器１枚当たり約４０〜６０個ほど開けた直径２〜３cmの穴に、１苗ずつを手で押し込んで葉菜を定植及び生育させ、収穫の際にはその穴から葉菜を１束ずつ手で引き抜いてきた。これを水耕栽培用補助容器を使用することで育苗では容器内に約１０〜３０苗をまとめて生育することができ、また収穫の際には１容器を引き抜くことで約１０〜３０束をまとめて収穫することが可能な容器栽培法が知られている（例えば特許文献１を参照）。
【特許文献１】特開２００５−１９８５６３号公報
【０００３】
この種の容器栽培法とこれに附随する根の切り落とし分離方法には、栽培用容器本体に根切り機構があるもの（例えば、特許文献２を参照）、根切りカッターを動かす原動機を装架した台車により切断と回収をするもの（例えば、特許文献３を参照）、育苗箱の苗設置面下側のマット状苗の根をコンベア式の刃で切断するもの（例えば、特許文献４を参照）が見られる。
【特許文献２】特開平１０−１５５３５９号公報
【特許文献３】特開２００１−３４６４２７号公報
【特許文献４】特開平０９−１４９７３０号公報
【発明の開示】
【発明が解決しようとする課題】
【０００４】
しかしながら、上記従来例はいずれも特許文献１のような容器栽培法で、栽培用補助容器の底から下へ垂れる野菜の根を一定の距離で切り落として容器上に生育した葉菜と容器を分離することや、根に絡まった土を掻き落として、葉菜、根、土粒、容器、を分別して回収するような目的効果を有したものではなかった。
【０００５】
そこで本発明は、特許文献１のような容器栽培法で、栽培用補助容器の底から下へ垂れる野菜の根を一定の距離で切り落として容器上に生育した葉菜と容器を分離し、根に絡まった土を掻き落として、葉菜、根、土粒、容器を分別して回収することが可能で、また根切り機構によるケガを防止しながら葉菜を調整することもできる開閉式の蓋と、下部の積載扉により育苗箱や回収箱を積載してキャスターにより簡便に移動できる機能によって、葉菜生産者が効率的かつ安全に運搬、定植、収穫作業を１台で行える水耕栽培用作業台を提供するものである。
【課題を解決するための手段】
【０００６】
課題を解決するために本発明は、葉菜類の水耕栽培におけるシステム化を推進するために、少なくとも定植作業及び収穫作業を補助する多機能な処理操作を１台で賄うようにした水耕栽培用作業台であって、
テーブルワゴン形態の筐体構造を構成する骨格となる筐体枠と、
筐体枠の構造空間に移動可能に立設され、該構造空間内に移動させて対向設置することにより育苗棚を多段収容可能とし、背面に移動させ面一に併置することにより該構造空間内に製品化処理により発生する除去物の回収箱を収容可能とする２枚１組の積載扉と、
筐体枠の天面に設けられた処理操作天板と、
前記処理操作天板の上方で正背面方向にスライド可能に設けられ、開閉操作により該処理操作天板を露出又は遮蔽する蓋板を具備するとともに、
前記処理操作天板の一部に板面をくり抜いて形成され、その正面縁部に葉菜類の根に絡まった土を掻き落とすための櫛歯を設けた千歯扱き処理操作部と、他部にスリットを形設し、かつ、該スリット端部に葉菜類の根を列設誘導して順次切り落とすためのカッター刃を設けた根切り処理操作部を有してなり、
定植時の育苗供給用ストッカー、収穫時の製品化処理手段及び製品化処理により発生する除去物の分別回収手段を兼備することを特徴とするものである。
【０００７】
ここで、天板上に水耕栽培用補助容器の底から下へ垂れる葉菜の根を通すための終点に向けて狭まるスリットを形設し、スリットの終点にはカッター刃を固定した天板を有することを特徴とするものである。
【０００８】
また、天板にはスリットの終点の延長線上に隣接して、天板下部に設置した回収箱へ水耕栽培用補助容器と粒土が落ちる穴を設けたものである。
【０００９】
さらに、水耕栽培用補助容器と粒土を回収するための穴を構成するアングルの１辺に、先端をＵ字に曲げた複数のピンを１辺に直立する形で横方向に連続して配置した櫛状の器具を形設したものでもある。
【００１０】
そして、蓋の左右側面の内側に取り付けたコマが天板両端の折り曲げ部材を両外側から挟むことで蓋の横揺れを制動しながら、背面上部アングルの背面に取り付けた２台のコマによって蓋を支持して正背面方向へスライドさせ、天板を露出又は遮蔽することが可能な蓋を形設したものである。なお、作業時の処理操作側を正面とする。
【００１１】
これに加え、筐体構造内には筐体を構成する背面の上下アングルの２点を軸に左右対称に観音開きする２枚の扉を形設し、また双方の扉の内側には施した多段の桁を形設し、回転軸の反対下部端にある錠を扉を開いた時は筐体の底板の留め穴に落すことで固定し、扉を閉じた時は錠を背面下部のアングルに施した留め穴に落として固定する機構を備えた、扉状の可動積載台を形設したものである。
【発明の効果】
【００１２】
本発明によれば、特許文献１のような容器栽培法で、栽培用補助容器の底から下へ垂れる野菜の根を一定の距離で切り落として容器上に生育した葉菜と容器を分離し、根に絡まった土を掻き落として、葉菜、根、土粒、容器を分別して回収することが可能で、また根切り機構によるケガを防止しながら葉菜を調整することもできる開閉式の蓋と、下部の積載扉により育苗箱や回収箱を積載してキャスターにより簡便に移動できることで、葉菜生産者が効率的かつ安全に運搬、定植、収穫作業を１台で行うことが可能になる。
【００１３】
また、栽培用補助容器の底から下へ垂れる野菜の根を一定の距離で切り落として容器上に生育した葉菜と容器を分離することが可能となる。
【００１４】
また、天板にはスリットの終点の延長線上に隣接して、天板下部に設置した回収箱へ水耕栽培用補助容器と粒土が落ちる穴を設けたことにより、水耕栽培用補助容器と土粒を回収することが可能となる。
【００１５】
さらに、水耕栽培用補助容器と粒土を回収するための穴を構成するアングルの１辺に、先端をＵ字に曲げた複数のピンを１辺に直立する形で横方向に連続配置した櫛状の器具によって、両手に把持した葉菜の下端に絡みついた粒土を掻き落とすことが可能となる。
【００１６】
そして、蓋板は定植作業の際に処理操作天板を遮蔽し、根切り処理操作部（製品化処理手段）の露出したカッター刃への不慮の接触（ケガ）を防止し、かつ、育苗箱を載置する補助台として機能する。一方、収穫作業時には蓋板が奥行き（背面）方向へスライドすることで天板上のカッター刃及び櫛状の器具を表出させて製品化処理に係る使用操作を可能とし、しかも蓋板の上に根切りをした葉菜を並べることができる。
【００１７】
筐体構造内の２枚１組の積載扉により定植の際には、育苗箱を複数積載することや、収穫作業の際にはこの扉を閉じることで筐体内に左右２つの回収箱を並べることができ、また積載扉端に付けた錠により安定した固定が可能で、キャスターにより簡便に移動できることで、葉菜生産者が効率的かつ安全に運搬、定植、収穫作業を１台で行うことが可能となる。
【発明を実施するための最良の形態】
【００１８】
以下、本発明を実施するための最良形態を添付図面に基づいて以下説明する。
図１に示すように、水耕栽培用作業台１〔以下、単に作業台という。〕は、水耕栽培用補助容器の底から下へ垂れる葉菜の根を通すスリット２と、スリットの終点にはカッター刃３があり、スリット２の終点の延長線上に隣接して水耕栽培用補助容器と粒土が落ちる穴４と、穴４の内側に葉菜に残った土粒を掻き落とす櫛状の器具５を持つ天板６を有し、この天板を支持する形で下部に筺体構造７があり、その内部に開閉式の積載扉８、９があり、筺体構造の底は水抜き穴を施した底板１０になっており、さらに下部にはキャスター１１、１２、１３、１４があり、これらと天板の上部の奥行方向へスライド開閉する蓋１５によって構成されるものである。
【００１９】
図２に示すように、育苗箱１６の運搬の場合は、定植段階まで育った葉菜類１７が入った水耕栽培用補助容器１８が載った育苗箱１６を積載した作業台１を育苗棚１９横にキャスター１３、１４のロック機構を効かせて設置し、筺体構造７を構成する背面上部のアングル２０と下部のアングル２１の２点を軸に、左右対称に観音開きした２枚の積載扉８、９を開いて双方の扉の回転軸の反対下部端にある錠２２、２３を筐体の底板１０に施した留め穴に落すことで固定し、双方の扉の内側に施した多段の桁２４、２５の上に育苗箱１６の左右端を掛けて積載し、ハンドル２６や２７を把持して押し引きし、図３に示す水耕ベッド２８まで運搬する。
【００２０】
図３に示すように、定植作業の場合は、定植段階まで育った葉菜類１７が入った水耕栽培用補助容器１８が載った育苗箱１６を積載した作業台１を水耕ベッド２８の横にキャスター１３、１４のロック機構を効かせて設置し、積載扉８、９の双方の扉の内側の多段の桁２４、２５に掛けられた、葉菜類が入り水耕栽培用補助容器１８が載った育苗箱１６を取り出して、蓋１５の上に置き、葉菜類が入った水耕栽培用補助容器１８を水耕ベッド２８上の発泡スチロール製の栽培容器２９に移していき、葉菜類が入った水耕栽培用補助容器１８を栽培容器に移し終わった育苗箱１６は蓋１５の上から降ろして育苗箱の入っていない桁２４、２５に並べて回収する。
【００２１】
図４に示すように、収穫作業の場合は、作業台１を水耕ベッド２８横にキャスター１３、１４のロック機構を効かせて設置し、筺体構造７を構成する背面上部のアングル２０と下部のアングル２１の２点を軸に、左右対称に観音開きした２枚の積載扉８、９を閉じて双方の扉の回転軸の反対下部端にある錠２２、２３を背面下部のアングルの留め穴に落として固定し、筺体の床に回収箱３０、３１を置く。
【００２２】
図５では蓋１５を透視図で表しており、蓋１５のハンドル３２を奥行き方向へ引き、蓋１５の左右側面の内側に取り付けたコマ３３、３４が天板両端の折り曲げ部材３５、３６を両外側から挟むことで蓋の横揺れを制動しながら、背面上部アングル２０の背面に取り付けた2台のコマ３７、３８によって蓋１５を支持しながら滑らせるによって、蓋１５を奥方向へスライドさせ、蓋１５が被さっていた、天板６のスリット２、カッター刃３、水耕栽培用補助容器と粒土が落ちる穴４と、穴４の内側に葉菜に残った土粒を掻き落とす櫛状の器具５を表出させ、使用可能にする。またここに示すハンドル３９はハンドル２６、２７と同様に作業台の押し引きに使用するものである。
【００２３】
次に図６に示すように、収穫作業において蓋１５を奥方向へスライドさせ、天板６のスリット２、カッター刃３、水耕栽培用補助容器と粒土が落ちる穴４と、穴４の内側の葉菜を掻き落とす櫛状の器具５を表出させ、
収穫状態に生育した葉菜４０は両手で把持し、水耕栽培用補助容器１８の底裏面は天板６に接するようにし、栽培補助容器１８の底から下へ垂れる葉菜の根４１は天板６上に開けたスリット２に通し、葉菜４０を把持した両手をスリット２の終点方向へ動かすことで、葉菜の根４１は終点に向かって狭まるスリット２を通り、
スリット２の終点に固定したカッター刃３によって栽培補助容器１８の底面から一定に離れた距離で葉菜の根４１を切り落とし、葉菜の根４１をスリット２の下部の一つ目の回収箱３０に落とすことが可能である。さらに図７に示すように、スリット２の終点に隣接する穴４まで葉菜４０を把持した両手を動かすことで、葉菜４０は両手に把持したままで二つ目の回収箱３１へ栽培補助容器１８と容器内の粒土のみを落として回収する。
【００２４】
続いて、両手には葉菜４０を把持したまま、穴４の内側に配置した先端をＵ字に曲げた複数のピンを１辺に直立する形の櫛状の器具５によって、下端に絡みついた粒土を掻き落とす。
【００２５】
最後に図８に示すように、両手に把持した葉菜４０を奥方向へスライドした状態の蓋１５の上に置き、水耕栽培用補助容器１８の約６〜８個分の葉菜が蓋１５の上に溜ったところで保管コンテナにまとめて運ぶ。
【産業上の利用可能性】
【００２６】
本発明は少なくとも定植作業及び収穫作業を補助する多機能な処理操作を１台で賄うようにした水耕栽培用作業台であって、葉菜生産者が効率的かつ安全に運搬、定植、収穫作業を行える実用性を有したものであり、葉菜類の水耕栽培におけるシステム化を推進するために有用であり、産業上の利用価値を有する。
【図面の簡単な説明】
【００２７】
【図１】最良形態に係わる水耕栽培用作業台の外観斜視図である。
【図２】育苗箱の運搬時の状態を示す斜視図である。
【図３】定植時の状態を示す斜視説明図である。
【図４】収穫時の状態を示す斜視説明図である。
【図５】蓋の透視図によりコマを説明する斜視説明図である。
【図６】収穫時の根きり作業を示す斜視説明図である。
【図７】収穫時の水耕栽培用補助容器の回収を示す斜視説明図である。
【図８】収穫時の蓋への葉菜置き工程を示す斜視説明図である。
【符号の説明】
【００２８】
１  水耕栽培用作業台
２  スリット〔根切り処理操作部；製品化処理手段〕
３  カッター刃〔根切り処理操作部；製品化処理手段〕
４  穴〔千歯扱き処理操作部；製品化処理手段〕                                    ５  櫛状の器具〔櫛歯；千歯扱き処理操作部；製品化処理手段〕
６  天板〔処理操作天板〕
７  筺体構造〔筐体枠〕
８  積載扉〔育苗供給用ストッカー〕
９  積載扉〔育苗供給用ストッカー〕
１０  底板
１１  キャスター
１２  キャスター
１３  キャスター
１４  キャスター
１５  蓋〔蓋板〕
１６  育苗箱
１７  定植段階まで育った葉菜類
１８  水耕栽培用補助容器
１９  育苗棚
２０  背面上部のアングル
２１  背面下部のアングル
２２  錠
２３  錠
２４  桁
２５  桁
２６  ハンドル
２７  ハンドル
２８  水耕ベッド
２９  発泡スチロール製の栽培容器
３０  回収箱〔分別回収手段〕
３１  回収箱〔分別回収手段〕
３２  ハンドル
３３  蓋の横揺れ制動コマ
３４  蓋の横揺れ制動コマ
３５  天板両端の折り曲げ部材
３６  天板両端の折り曲げ部材
３７  蓋のスライド支持コマ
３８  蓋のスライド支持コマ
３９  ハンドル
４０  葉菜
４１  葉菜の根
【図１】
2007135454.tif 000003
【図２】
2007135454.tif 000004
【図３】
2007135454.tif 000005
【図４】
2007135454.tif 000006
【図５】
2007135454.tif 000007
【図６】
2007135454.tif 000008
【図７】
2007135454.tif 000009
【図８】
2007135454.tif 000010